(57)【要約】      （修正有）【課題】組立て式の持ち運びしやすいキャリータイプの収納ボックスを提供する。【解決手段】閉可能な二つの底面部分２Ａ，２Ｂから成る方形の底面部と４面の側面部３ａ，３ｂ，３ｃ，３ｄから成る上面が開口された有り底の直方体形状の折畳み自在の収納ボックス１と、この収納ボックスに装着されるキャリー用部材２０とで構成し、このキャリー用部材は、折畳み自在に連接した底面被覆部２３、側面被覆部２４ａ，２４ｂ及び折り返し片２５ａ，２５ｂから成る被覆部と、上部位置に把持用開口部３０を形成し、両側位置に前記収納ボックスの耳部係合孔７，７に挿入して係着される耳部３１，３１を取付けた把持用仕切り板部２２を備えている。【選択図】図１
0003158343.tif 000002
【実用新案登録請求の範囲】
【請求項１】
収納ボックスとキャリー用部材とから構成され、前記収納ボックスは、方形の板状の底面部と４面の板状の側面部から成る上面が開口された有り底の直方体形状の収納ボックスであり、各側面部は各境目の折曲げ連接部を介して折畳み自在に連接され、前記底面部は、半面ずつに分離した二つの底面部分から成り、各底面部分は、各底面部分の各基端部が折曲げ連接部を介して同じ側面部の下縁部に隣接して並べた状態に連接され、各基端部を支点として先端部を上下方向に揺動できるようにして、各底面部分をそれぞれ開閉可能に構成してあり、各底面部分の先端部側に位置する前記側面部の下縁部に支持突片を折り曲げ自在に連接し、この支持突片の上面に底面係着用の受け面ファスナーを、各底面部分の先端部の下面に前記底面係着用の受け面ファスナーと着脱自在に係着される底面係着用の面ファスナーをそれぞれ設け、各底面部分の基端部が連接されている前記側面部と該側面部に対向する側面部の略中央部に縦方向に長い耳部係合孔をそれぞれ形成し、この耳部係合孔が形成されている側面部とは別の対向する側面部の内面の上部位置に折り返し片係着用の受け面ファスナーをそれぞれ設けた構成とし、前記キャリー用部材は、板状の被覆部と把持用仕切り板部を備え、前記被覆部は、前記底面部の外面に相等する面を有する底面被覆部と、該底面被覆部の両側に連接され、前記折り返し片係着用の受け面ファスナーを設けた各側面部の各外面にそれぞれ相等する面を有する側面被覆部と、各側面被覆部の先端部側にそれぞれ連接した折り返し片を有し、これらの底面被覆部、側面被覆部及び折り返し片の各境目は互いに平行な折曲げ連接部を介して折畳み自在に連接され、前記把持用仕切り板部は、各底面部分の隣接辺に沿う位置に対応する前記底面被覆部の上面位置に起倒自在に連接され、起立状態において前記収納ボックスの側面部の高さより高い縦幅寸法を有し、該把持用仕切り板部の上部位置に把持用開口部を形成し、該把持用仕切り板部の両側位置に前記収納ボックスの前記耳部係合孔に挿入して係着される耳部をそれぞれ取付け、前記各折り返し片の折り返し内面には、前記収納ボックスの前記折り返し片係着用の受け面ファスナーに着脱自在に係着される折り返し片係着用の面ファスナーをそれぞれ設けた構成とした、組立て式のキャリータイプの収納ボックス。
【請求項２】
前記耳部は対の耳片から成り、対の耳片を前記把持用仕切り板部の両側位置にそれぞれ横方向に開閉自在に連接して取付け、対の耳片の前記把持用仕切り板部と対向する側の面に耳片係着用の面ファスナーをそれぞれ設け、前記耳部係合孔を形成してある側面部の外面における前記耳部係合孔の両側近傍に前記耳片係着用の面ファスナーと着脱自在に係着される耳片係着用の受け面ファスナーをそれぞれ設けた、請求項１に記載の組立て式のキャリータイプの収納ボックス。
【請求項３】
前記把持用開口部の開口上縁を前記把持用仕切り板部の起立状態において前記収納ボックスの前記各側面部の高さ位置より高い位置に形成した請求項１に記載の組立て式のキャリータイプの収納ボックス。
【請求項４】
前記収納ボックスの前記耳部係合孔が形成されている両方の側面部にこれらの側面部の境目に位置する折曲げ連接部の下端部から上辺の中央部に斜めに延びる斜線状屈曲部を形成した、請求項１に記載の組立て式のキャリータイプの収納ボックス。
【考案の詳細な説明】
【技術分野】
【０００１】
本考案は、日用品や衣類など種々の物品を収納する折畳み自在な収納ボックスに係り、特に組立て式の持ち運びしやすいキャリータイプの収納ボックスに関するものである。
【背景技術】
【０００２】
折畳み自在な収納ボックスとして、本出願人は、上面が開口された有り底の直方体形状の収納ボックスにおいて、各側壁部は折曲げ連接部を介して折畳み自在に連接し、底壁部は各側壁部の一側壁部の下縁部に折曲げ連接部を介して上下方向に揺動自在に連接し、各側壁部の下縁部に支持突片を延設し、底壁部の下面側と支持突片上に着脱自在に係着される面ファスナーを設けた、ものを公開してある（特許文献１）。この折畳み自在な収納ボックスは、不使用時には、面ファスナーの係着を外して底壁部を開口することによってコンパクトな折畳み形態に容易に折畳むことができ、便利なものである。
【０００３】
しかし、この折畳み自在な収納ボックスは持ち運びしやすくするための工夫がなされていない。
【先行技術文献】
【特許文献】
【０００４】
【特許文献１】実用新案登録第３１１９１１１号公報
【考案の概要】
【考案が解決しようとする課題】
【０００５】
係る実情に鑑み、本考案は、折畳み自在な収納ボックスであり、特に組立て式の持ち運びしやすいキャリータイプの収納ボックスを提供することを目的とする。
【課題を解決するための手段】
【０００６】
上記の課題を解決するため、本考案（請求項１の考案）は、収納ボックス（１）とキャリー用部材（２０）とから構成され、前記収納ボックス（１）は、方形の板状の底面部（２）と４面の板状の側面部（３ａ，３ｂ，３ｃ，３ｄ）から成る上面が開口された有り底の直方体形状の収納ボックスであり、各側面部（３ａ，３ｂ，３ｃ，３ｄ）は各境目の折曲げ連接部（Ｆ１，Ｆ１，Ｆ１，Ｆ１）を介して折畳み自在に連接され、前記底面部（２）は、半面ずつに均等に分離した二つの底面部分（２Ａ，２Ｂ）から成り、各底面部分（２Ａ，２Ｂ）は、各底面部分の各基端部が折曲げ連接部（Ｆ２，Ｆ２）を介して同じ側面部（３ａ）の下縁部に隣接して並べた状態に連接され、各基端部を支点として先端部を上下方向に揺動できるようにして、各底面部分（２Ａ，２Ｂ）をそれぞれ開閉可能に構成してあり、各底面部分（２Ａ，２Ｂ）の先端部側に位置する前記側面部（３ｂ）の下縁部に支持突片（４ａ，４ｂ）を折り曲げ自在に連接し、この支持突片（４ａ，４ｂ）の上面に底面係着用の受け面ファスナー（５ａ，５ｂ）を、各底面部分（２Ａ，２Ｂ）の先端部の下面に前記底面係着用の受け面ファスナー（５ａ，５ｂ）と着脱自在に係着される底面係着用の面ファスナー（６ａ，６ｂ）をそれぞれ設け、各底面部分の基端部が連接されている前記側面部（３ａ）と該側面部に対向する側面部（３ｂ）の略中央部に縦方向に長い耳部係合孔（７，７）をそれぞれ形成し、この耳部係合孔（７，７）が形成されている側面部（３ａ，３ｂ）とは別の対向する側面部（３ｃ，３ｄ）の内面の上部位置に折り返し片係着用の受け面ファスナー（８，８）をそれぞれ設けた構成とし、前記キャリー用部材（２０）は、板状の被覆部（２１）と把持用仕切り板部（２２）を備え、前記被覆部（２１）は、前記底面部（２）の外面に相等する面を有する底面被覆部（２３）と、該底面被覆部（２３）の両側に連接され、前記折り返し片係着用の受け面ファスナー（８，８）を設けた各側面部（３ｃ，３ｄ）の各外面にそれぞれ相等する面を有する側面被覆部（２４ａ，２４ｂ）と、各側面被覆部（２４ａ，２４ｂ）の先端部側にそれぞれ連接した折り返し片（２５ａ，２５ｂ）を有し、これらの底面被覆部（２３）、側面被覆部（２４ａ，２４ｂ）及び折り返し片（２５ａ，２５ｂ）の各境目は互いに平行な折曲げ連接部（Ｆ５，Ｆ５，Ｆ５，Ｆ５）を介して折畳み自在に連接され、前記把持用仕切り板部（２２）は、各底面部分（２Ａ，２Ｂ）の隣接辺に沿う位置に対応する前記底面被覆部（２３）の上面位置に起倒自在に連接され、起立状態において前記収納ボックス（１）の各側面部（３ａ，３ｂ，３ｃ，３ｄ）の高さより高い縦幅寸法を有し、該把持用仕切り板部（２２）の上部位置に把持用開口部（３０）を形成し、該把持用仕切り板部（２２）の両側位置に前記収納ボックスの前記耳部係合孔（７，７）に挿入して係着される耳部（３１，３１）をそれぞれ取付け、前記各折り返し片（２５ａ，２５ｂ）の折り返し内面には、前記収納ボックスの前記折り返し片係着用の受け面ファスナー（８，８）に着脱自在に係着される折り返し片係着用の面ファスナー（３５，３５）をそれぞれ設けた構成とした、組立て式のキャリータイプの収納ボックスを提供する。
【０００７】
この組立て式のキャリータイプの収納ボックスによれば、上面が開口され、底面部分（２Ａ，２Ｂ）が閉じられた有り底の直方体形状の収納ボックス（１）に対して、キャリー用部材（２０）を次のように装着した形態のキャリータイプの収納ボックスを組立て完成させることができる。すなわち、キャリー用部材（２０）の把持用仕切り板部（２２）は、閉じた底面部分（２Ａ，２Ｂ）の隣接辺の間から収納ボックス（１）内に上へ突き出た起立状態に収容され、この把持用仕切り板部（２２）の前記耳部（３１，３１）を収納ボックスの耳部係合孔（７，７）に内側から外側へ挿入して係着されることによって、把持用仕切り板部（２２）が収容ボックス（１）内に起立状態に固定される。また、キャリー用部材（２０）の被覆部（２１）は、側面被覆部（２４ａ，２４ｂ）が収納ボックス（１）の各側面部（３ｃ，３ｄ）に外側から被覆され、折り返された各折り返し片（２５ａ，２５ｂ）の折り返し片係着用の面ファスナー（３５，３５）が収納ボックス（１）の折り返し片係着用の受け面ファスナー（８，８）に係着される。これによって、キャリー用部材（２０）の把持用仕切り板部（２２）を収容ボックス（１）内に起立状態に装着できると共に、キャリー用部材（２０）の全体を収納ボックス（１）に確実に装着できる。
【０００８】
組立てられたキャリータイプの収納ボックスは、把持用仕切り板部（２２）が収納ボックス内を二つの収納空間に区分けする仕切り壁として機能すると共に、この把持用仕切り板部の上部位置に形成された把持用開口部（３０）を把持することによって、収納ボックスを持ち運びしやすいキャリータイプに構成できる。しかも、組立てられたキャリータイプの収納ボックスは、キャリー用部材の被覆部（２１）によって、収納ボックスのボックス形態を補強できる。
【０００９】
また、本考案（請求項２の考案）は、前記耳部（３１）を対の耳片（３１ａ，３１ｂ）で構成し、この対の耳片（３１ａ，３１ｂ）を前記把持用仕切り板部（２２）の両側位置にそれぞれ横方向に開閉自在に連接して取付け、この対の耳片（３１ａ，３１ｂ）の前記把持用仕切り板部（２２）と対向する側の面に耳片係着用の面ファスナー（３２ａ，３２ｂ）をそれぞれ設け、前記耳部係合孔（７，７）を形成してある側面部（３ａ，３ｂ）の外面における前記耳部係合孔（７，７）の両側近傍に前記耳片係着用の面ファスナー（３２ａ，３２ｂ）と着脱自在に係着される耳片係着用の受け面ファスナー（９ａ，９ｂ）をそれぞれ設けたことを特徴とする組立て式のキャリータイプの収納ボックスを提供する。
【００１０】
この対の耳片（３１ａ，３１ｂ）を前記収納ボックス（１）の内側から前記耳部係合孔（７）に挿入して外側に突出し、突出した対の耳片（３１ａ，３１ｂ）を側面部（３ａ，３ｂ）の外面に接する方向に互いに開き、開いた対の耳片（３１ａ，３１ｂ）の耳片係着用の面ファスナー（３２ａ，３２ｂ）を前記耳片係着用の受け面ファスナー（９ａ，９ｂ）に接合して係着し、対の耳片（３１ａ，３１ｂ）を接合した状態に閉じる。これによって、キャリー用部材（２０）の把持用仕切り板部（２２）を収容ボックス（１）内に起立状態に確実に装着できる。
【００１１】
また、本考案（請求項３の考案）は、前記把持用開口部（３０）の開口上縁を前記把持用仕切り板部（２２）の起立状態において前記収納ボックス（１）の各側面部（３ａ，３ｂ，３ｃ，３ｄ）の高さ位置より高い位置に形成したことを特徴とする組立て式のキャリータイプの収納ボックスを提供する。これによって、収納ボックス（１）内に物品を多く入れた状態においても、把持用開口部（３０）を容易に把持でき、収納ボックスを持ち運びしやすくしてある。
【００１２】
また、本考案（請求項４の考案）は、前記収納ボックス（１）の前記耳部係合孔（７，７）が形成されている両方の側面部（３ａ，３ｂ）にこれらの側面部の境目に位置する折曲げ連接部（Ｆ１，Ｆ１）の下端部から上辺の中央部に斜めに延びる斜線状屈曲部（Ｆ３，Ｆ３）を形成したことを特徴とする組立て式のキャリータイプの収納ボックスを提供する。この斜線状屈曲部Ｆ３，Ｆ３と前記折曲げ連接部（Ｆ１，Ｆ１）の屈曲機能によって前記側面部（３ａ，３ｂ）は外面又は内面方向に屈曲自在に構成される。
【考案の効果】
【００１３】
前記した収納ボックスとキャリー用部材から組み立てられた本考案のキャリータイプの収納ボックスによれば、上部に把持用開口部を形成した把持用仕切り板部に収納ボックスの仕切り板としての機能と持ち運び用の把持機能を兼用させているため、この収納ボックスの持ち運びが極めて容易である。
【００１４】
また、本考案は組立て式であり、不使用時にはコンパクトな折畳み形態に折畳むことができ、しかも、組み立てる事も楽しめるキャリータイプの収納ボックスとして極めて有用な考案である。
【図面の簡単な説明】
【００１５】
【図１】本考案の組立て完成状態を示した斜面図である。
【図２】本考案の組立て前の構成部材をそれぞれ示した斜面図である。
【図３】本考案の好ましい組立て過程を説明的に示した概略斜面図である。
【考案を実施するための形態】
【００１６】
以下、本考案の最良の実施形態を示した図面に基づいて説明する。
【００１７】
本考案の組立て式のキャリータイプの収納ボックスは、図２に示した収納ボックス１とキャリー用部材２０とから構成される。
【００１８】
前記収納ボックス１は、方形（図面では長方形）の板状の底面部２と４面の板状の側面部３ａ，３ｂ，３ｃ，３ｄから成る上面が開口された有り底の直方体形状の収納ボックスであり、各側面部３ａ，３ｂ，３ｃ，３ｄは各境目の折曲げ連接部Ｆ１，Ｆ１，Ｆ１，Ｆ１を介して折畳み自在に連接され、前記底面部２は、半面ずつに均等に分離した二つの底面部分２Ａ，２Ｂから成り、各底面部分２Ａ，２Ｂは、各底面部分の各基端部が折曲げ連接部Ｆ２，Ｆ２を介して同じ側面部３ａの下縁部に隣接して並べた状態に連接され、各基端部を支点として先端部を上下方向に揺動できるようにして、各底面部分２Ａ，２Ｂをそれぞれ開閉可能に構成してあり、各底面部分２Ａ，２Ｂの先端部側に位置する前記側面部３ｂの下縁部に帯状の支持突片４ａ，４ｂを折り曲げ自在に連接し、この支持突片４ａ，４ｂの上面に底面係着用の受け面ファスナー５ａ，５ｂを、各底面部分２Ａ，２Ｂの先端部の下面に前記底面係着用の受け面ファスナー５ａ，５ｂと着脱自在に係着される底面係着用の面ファスナー６ａ，６ｂをそれぞれ設け、各底面部分２Ａ，２Ｂの基端部が連接されている前記側面部３ａと該側面部に対向する側面部３ｂの略中央部における対向位置に縦方向に長い耳部係合孔７，７をそれぞれ形成し、この耳部係合孔７，７が形成されている側面部３ａ，３ｂとは別の対向する側面部３ｃ，３ｄの内面の上部位置に折り返し片係着用の受け面ファスナー８，８をそれぞれ設けてある。
【００１９】
前記耳部係合孔７，７を形成してある側面部３ａ，３ｂの外面における前記耳部係合孔７，７の両側近傍に耳片係着用の受け面ファスナー９ａ，９ｂをそれぞれ設けてある。この耳片係着用の受け面ファスナー９ａ，９ｂは、後述するキャリー用部材２０の耳片係着用の面ファスナー３２ａ，３２ｂと着脱自在に係着されるものである。
【００２０】
前記収納ボックス１の前記耳部係合孔７，７が形成されている両方の側面部３ａ，３ｂにこれらの側面部の境目に位置する折曲げ連接部Ｆ１，Ｆ１の下端部から上辺の中央部に斜めに延びる二等辺三角形の等しい斜辺状の斜線状屈曲部Ｆ３，Ｆ３を形成してある。この斜線状屈曲部Ｆ３，Ｆ３と前記折曲げ連接部Ｆ１，Ｆ１の折り機能によって前記側面部３ａ，３ｂを外面方向（図３のｃに示したように）又は内面方向に折畳み自在に構成してある。
【００２１】
収納ボックス１は、各底面部分２Ａ，２Ｂの開状態においては、前記折曲げ連接部Ｆ１，Ｆ１，Ｆ１，Ｆ１を介して各側面部３ａ，３ｂ，３ｃ，３ｄが折畳まれ、扁平状態に折畳み可能である。また、収納ボックス１は、各底面部分２Ａ，２Ｂの閉状態（底面係着用の面ファスナー６ａ，６ｂを前記底面係着用の受け面ファスナー５ａ，５ｂに接合して係着した閉状態）においても、先ず前記斜線状屈曲部Ｆ３，Ｆ３を介して側面部３ａ，３ｂを内面方向に折畳むことによって、残りの側面部３ｃ，３ｄも内面方向に折畳み可能となり、各側面部３ａ，３ｂ，３ｃ，３ｄの全体を内面方向に扁平に折畳み可能である。
【００２２】
なお、具体的には図示してないが、収納ボックス１は、各底面部分２Ａ，２Ｂや各側面部３ａ，３ｂ，３ｃ，３ｄなどの各面に相等する板状芯材を柔軟な被覆シート材で被い、各面の端部には縁取りシート材を被せて逢着してある。各側面部３ａ，３ｂ，３ｃ，３ｄは境目を区分けするステッチ糸を被覆シート材に逢着し、隣接する各板状芯材の端部間の逢着箇所を前記折曲げ連接部Ｆ１，Ｆ１，Ｆ１，Ｆ１としてある。各底面部分２Ａ，２Ｂの各基端部と側面部３ａの下縁部は互いの縁取りシート材を縫い付けて連接し、この縫い付け箇所を折曲げ連接部Ｆ２，Ｆ２としてある。また、帯状の支持突片４ａ，４ｂの各基端部と側面部３ｂの下縁部も互いの縁取りシート材を縫い付けて連接し、この連接箇所を折り曲げ自在にしてある。また、側面部３ａ，３ｂは斜線状屈曲部Ｆ３，Ｆ３で区分けされた少なくとも三枚の板状芯材に分けられ、隣接する各板状芯材の端部間の逢着箇所を前記斜線状屈曲部Ｆ３，Ｆ３としてある。
【００２３】
前記キャリー用部材２０は、板状の被覆部２１と把持用仕切り板部２２を備え、前記被覆部２１は、前記底面部２の外面に相等する面を有する底面被覆部２３と、該底面被覆部２３の両側に連接され、前記折り返し片係着用の受け面ファスナー８，８を設けた各側面部３ｃ，３ｄの各外面にそれぞれ相等する面を有する側面被覆部２４ａ，２４ｂと、各側面被覆部２４ａ，２４ｂの先端部側にそれぞれ連接した折り返し片２５ａ，２５ｂを有し、これらの底面被覆部２３、側面被覆部２４ａ，２４ｂ及び折り返し片２５ａ，２５ｂの各境目は互いに平行な折曲げ連接部Ｆ５，Ｆ５，Ｆ５，Ｆ５を介して折畳み自在に連接され、前記把持用仕切り板部２２は、各底面部分２Ａ，２Ｂの隣接辺に沿う位置に対応する前記底面被覆部２３の上面位置に起倒自在に連接され、起立状態において前記収納ボックス１の側面部３ａ，３ｂ，３ｃ，３ｄの高さより高い縦幅寸法を有し、該把持用仕切り板部の上部位置に把持用開口部３０を形成し、この把持用開口部３０の開口上縁を該把持用仕切り板部の起立状態において前記収納ボックス１の側面部３ａ，３ｂ，３ｃ，３ｄの高さ位置より高い位置に形成し、該把持用仕切り板部２２の両側位置に前記収納ボックス１の前記耳部係合孔７，７に挿入して係着される耳部３１，３１をそれぞれ取付け、前記各折り返し片２５ａ，２５ｂの折り返し内面には、前記収納ボックス１の前記折り返し片係着用の受け面ファスナー８，８に着脱自在に係着される折り返し片係着用の面ファスナー３５，３５をそれぞれ設けてある。前記底面被覆部２３は、前記把持用仕切り板部２２の連接位置において、前記折曲げ連接部Ｆ５，Ｆ５，Ｆ５，Ｆ５と平行な折曲げ連接部Ｆ５によって折畳み自在な底面被覆部分２３ａ，２３ｂに構成されている。また、前記把持用仕切り板部２２の基部側は、前記収納ボックス１の前記耳部係合孔７，７が形成されている各側面部３ａ，３ｂの対向する内幅に相等する横幅に形成されている。
【００２４】
各耳部３１は対の耳片３１ａ，３１ｂからそれぞれ成り、対の耳片３１ａ，３１ｂを前記把持用仕切り板部２２の両側位置にそれぞれ横方向に開閉自在に連接して取付け、対の耳片３１ａ，３１ｂの前記把持用仕切り板部２２と対向する側の面に耳片係着用の面ファスナー３２ａ，３２ｂをそれぞれ設けてある。対の耳片３１ａ，３１ｂは前記収納ボックス１の前記耳部係合孔７に内側から挿入して外側に突出され、外側に出された対の耳片３１ａ，３１ｂは側面部３ａ，３ｂの外面に接する方向に向け互いに開かれ、開かれた対の耳片３１ａ，３１ｂの耳片係着用の面ファスナー３２ａ，３２ｂを収納ボックス１側の前記耳片係着用の受け面ファスナー９ａ，９ｂに着脱自在に係着できる構成としてある。
【００２５】
なお、具体的には図示してないが、キャリー用部材２０の被覆部２１は、底面被覆部２３（底面被覆部分２３ａ，２３ｂ）、側面被覆部２４ａ，２４ｂ、折り返し片２５ａ，２５ｂの各面に相等する板状芯材を柔軟な被覆シート材で被い、各面の境目を区分けするステッチ糸を被覆シート材に逢着し、隣接する各板状芯材の端部間の逢着箇所を前記折曲げ連接部Ｆ５，Ｆ５，Ｆ５，Ｆ５，Ｆ５としてある。また被覆部２１の周縁部には縁取りシート材を被せて逢着してある。また、同様に具体的には図示してないが、把持用仕切り板部２２も板状芯材を柔軟な被覆シート材で被い、周縁部には縁取りシート材を被せて逢着してある。そして、把持用仕切り板部２２の下端部は底面被覆部分２３ａ，２３ｂの境目の逢着箇所に縫い付けて折畳み自在に連接してある。また、耳部３１（対の耳片３１ａ，３１ｂ）の各基端部は前記把持用仕切り板部２２の両側位置の縁取りシート部に縫い付けて開閉自在に連接してある。
【００２６】
図３は本考案の好ましい組み立て工程を示している。先ず、図３の（ａ）に示したように、収納ボックス１の分離した底面部分２Ａ，２Ｂのいずれか一方（図面では底面部分２Ａ）を支持突片４ａの底面係着用の受け面ファスナー５ａで止めて閉じる。この閉じ状態で、底面部分２Ａの底面係着用の面ファスナー６ａと支持突片４ａの底面係着用の受け面ファスナー５ａが接合状態に係着され、収納ボックス１は底面の半面が開口された状態の直方体形態に仮止めされる。
【００２７】
次に、図３の（ｂ）に示したように、被覆部２１を延ばした展開状態し、把持用仕切り板部２２を起立状態にしてあるキャリー用部材２０に底面の半面が開口された状態の収納ボックス１を上から被せ、キャリー用部材２０の把持用仕切り板部２２が収納ボックス１内に下から起立状態で入れられた状態にして、収納ボックス１の開口されている底面部分２Ｂを支持突片４ｂの底面係着用の受け面ファスナー５ｂで止めて閉じる。この閉じ状態で、底面部分２Ｂの底面係着用の面ファスナー６ｂと支持突片４ｂの底面係着用の受け面ファスナー５ｂが接合状態に係着されると共に、キャリー用部材２０の把持用仕切り板部２２は閉じられた底面部分２Ａ，２Ｂの隣接辺の間から上へ突き出た起立状態にして収納ボックス１内に入れられ、キャリー用部材２０の被覆部２１は収納ボックス１外におかれる。
【００２８】
次に、図３の（ｃ）に示したように、キャリー用部材２０の把持用仕切り板部２２の両側位置に取付けてある耳部３１（対の耳片３１ａ，３１ｂ）を収納ボックス１の内側から各耳部係合孔７，７に挿入して外側に突出させる。耳部３１（対の耳片３１ａ，３１ｂ）を各耳部係合孔７，７に挿入する際、図示したように、耳部係合孔７，７を形成してある側面部３ａ，３ｂを斜線状屈曲部Ｆ３，Ｆ３と前記折曲げ連接部の折り機能によって外面方向に突き出る状態に屈曲できるため、この挿入作業が容易である。
【００２９】
そして、図３の（ｄ）に示したように、耳部係合孔７を通して外側に突出させた前記耳部３１（対の耳片３１ａ，３１ｂ）を側面部３ａ，３ｂの外面に接するように互いに開き、開いた対の耳片３１ａ，３１ｂの耳片係着用の面ファスナー３２ａ，３２ｂを前記耳片係着用の受け面ファスナー９ａ，９ｂに係着し接合すると共に、キャリー用部材２０の側面被覆部２４ａ，２４ｂを収納ボックス１の各側面部３ｃ，３ｄに外側から覆い被せ、最後に各折り返し片２５ａ，２５ｂを収納ボックス１の各側面部３ｃ，３ｄの内面に折り返し、各折り返し片２５ａ，２５ｂの折り返し片係着用の面ファスナー３５，３５を収納ボックス１の折り返し片係着用の受け面ファスナー８，８に係着し接合し、組立てを完了する。
【００３０】
図１は組立てを完了した完成状態のキャリータイプの収納ボックスを示している。完成したキャリータイプの収納ボックスは、上面が開口され、底面部分２Ａ，２Ｂが閉じられた有り底の直方体形状の収納ボックス１に対して、キャリー用部材２０が下記した状態に装着された形態となる。なお、図１に示した組立て後のキャリータイプの収納ボックスは、いわゆるカラーボックス内に収容して使用できるサイズに構成してある。
【００３１】
キャリー用部材２０の把持用仕切り板部２２は、閉じられた底面部分２Ａ，２Ｂの隣接辺の間から収納ボックス１内に上へ突き出た起立状態にして入れられると共に、収納ボックス１の耳部係合孔７を通して外側に突出させた前記耳部３１（対の耳片３１ａ，３１ｂ）の耳片係着用の面ファスナー３２ａ，３２ｂが前記耳片係着用の受け面ファスナー９ａ，９ｂに係着され、起立状態に固定される。この把持用仕切り板部２２は、起立状態において収納ボックス１の側面部３ａ，３ｂ，３ｃ，３ｄの高さより高い縦幅寸法を有し、該把持用仕切り板部２２の上部位置に形成した把持用開口部３０の開口上縁を収納ボックス１の側面部３ａ，３ｂ，３ｃ，３ｄの高さ位置より高い位置に置かれている。よって、収納ボックス１内に物品を多く入れた状態においても、把持用開口部３０を容易に把持できる、収納ボックスを持ち運びしやすいキャリータイプに構成できる。
【００３２】
また、キャリー用部材２０は、前記した把持用仕切り板部２２の固定機能と共に、このキャリー用部材２０の側面被覆部２４ａ，２４ｂを収納ボックス１の各側面部３ｃ，３ｄに外側から覆い被せ、各折り返し片２５ａ，２５ｂを収納ボックス１の各側面部３ｃ，３ｄの内面に折り返し、各折り返し片２５ａ，２５ｂの折り返し片係着用の面ファスナー３５，３５を収納ボックス１の折り返し片係着用の受け面ファスナー８，８に係着し接合してあるため、キャリー用部材２０を収納ボックス１に確実に装着できる。しかも、収納ボックスのボックス形態を補強できる。
【符号の説明】
【００３３】
１  収納ボックス
２  底面部
２Ａ，２Ｂ  底面部分
３ａ，３ｂ，３ｃ，３ｄ  側面部
Ｆ１  折曲げ連接部
Ｆ２  折曲げ連接部
Ｆ３  斜線状屈曲部
４ａ，４ｂ  支持突片
５ａ，５ｂ  底面係着用の受け面ファスナー
６ａ，６ｂ  底面係着用の面ファスナー
７，７  耳部係合孔
８，８  折り返し片係着用の受け面ファスナー
９ａ，９ｂ  耳片係着用の受け面ファスナー
２０  キャリー用部材
２１  被覆部
２２  把持用仕切り板部
２３  底面被覆部
２４ａ，２４ｂ  側面被覆部
２５ａ，２５ｂ  折り返し片
Ｆ５  折曲げ連接部
３０  把持用開口部
３１，３１  耳部
３１ａ，３１ｂ  耳片
３２ａ，３２ｂ  耳片係着用の面ファスナー
３５，３５  折り返し片係着用の面ファスナー
【図１】
0003158343.tif 000003
【図２】
0003158343.tif 000004
【図３】
0003158343.tif 000005